(57)【要約】【課題】直射日光による温度上昇を抑制し、筐体内を的確に冷却することができ、かつ外観上も好ましい屋外設置用電子機器収容箱を提供する。【解決手段】屋外設置用電子機器収容箱１は、電子機器１４、１５，１６が収容される筐体部１０と、該筐体部１０の上部に設置され空間２４が空気流路となる天井部２０とを有している。筐体部１０の前面下部には外気を取り入れる吸気口１１を有し、かつ前記天井部２０の前面側には排気口２２を有するとともに、筐体部１０に設けられた吸気口１１から天井部２０に至る経路内である天井部２０の後面側に前記吸気口１１から天井部２０の排気口２２に向けて筐体部１０内に吸入した空気を送風するクロスフローファン３０を有している。【選択図】      図１
2004260055.tif 000002
【特許請求の範囲】
【請求項１】
屋外に設置されて使用される電子機器収容箱であって、
電子機器が収容される筐体部と、該筐体部の上部に設置され空気流路となる天井部とを有し、
前記筐体部前面の下部には外気を取り入れる吸気口を有し、かつ前記天井部の前面側には排気口を有するとともに、前記吸気口から天井部に至る経路内に前記吸気口から天井部の排気口に向けて筐体部内に吸入した空気を送風する送風手段を設けたことを特徴とする屋外設置用電子機器収容箱。
【請求項２】
前記送風手段は、前記吸入口と対角線上に対向する前記天井部における隅部に設けられていることを特徴とする請求項１に記載の屋外設置用電子機器収容箱。
【請求項３】
前記送風手段は、空気流を直交方向に変換して送風するクロスフローファンであることを特徴とする請求項１または２のいずれかに記載の屋外設置用電子機器収容箱。
【発明の詳細な説明】
【０００１】
【発明の属する技術分野】
本発明は、屋外に設置されて使用される電子機器収容箱に関する。
【０００２】
【従来の技術】
従来の屋外設置用電子機器収容箱では、電子機器収納部の温度上昇を防止するために、換気ファンを設置したもの、外部からの熱伝導を遮断するための遮熱板を設け、筐体を二重構造としたもの等がある。（例えば、特許文献１、２参照。）
従来の屋外設置用電子機器収容箱の構成例を図３に示す。同図に示すように、従来の屋外設置用電子機器収容箱１００は、電子機器を収容する筐体部２００と、筐体部２００の上面に後付して設置される天井部３００とからなる。
【０００３】
筐体部２００前面下部には外気を取り入れるための吸入孔２０１が設けられており、筐体２００後部にはファン２０５が設けられている。
また、天井部３００における前後面及び側面には空気が通り抜けるように通風孔３０１、３０２が設けられている。
【０００４】
【特許文献１】
特開平１０−３１１６３８号公報
【特許文献２】
特開２００１−１６８５６５号公報
【０００５】
【発明が解決しようとする課題】
上記構成からなる従来の屋外設置用電子機器収容箱１００では、筐体部２００内に収納されている各種機器（電子機器）からの発熱を筐体部２００の後部に取り付けられたファン２０５を駆動することにより筐体部２００の前面下部に形成された吸入孔２０１より取り込んだ外気で冷却し、この冷却により温まった空気はファン２０５により外部に排出される。
【０００６】
また、天井部の空間３０３内に直射日光による熱がこもらないように、通風孔３０１，３０２により空気が通り抜けるようにしている。
しかしながら、上記従来の屋外設置用電子機器収容箱１００では、電子機器が収容されている筐体部２００のみファン２０５の駆動により空冷し、天井部３００については自然通風のみであるため、風がないときには、天井部の空間３０３内の温度が直射日光により上昇し、熱がこもった状態となり、このため、筐体部２００内の温度も上昇し、電子機器２０２〜２０４の冷却が適切に行えないという問題が有った。
【０００７】
また、筐体部２００にファンを取り付ける必要があるため、ファン２０５が外部に突出した状態となるため、外観上、好ましくないという問題も有った。
本発明はこのような事情に鑑みてなされたものであり、直射日光による温度上昇を抑制し、筐体内を的確に冷却することができ、かつ外観上も好ましい屋外設置用電子機器収容箱を提供することを目的とする。
【０００８】
【課題を解決するための手段】
上記目的を達成するために請求項１に記載の発明は、屋外に設置されて使用される電子機器収容箱であって、
電子機器が収容される筐体部と、該筐体部の上部に設置され空気流路となる天井部とを有し、
前記筐体部前面の下部には外気を取り入れる吸気口を有し、かつ前記天井部の前面側には排気口を有するとともに、前記吸気口から天井部に至る経路内に前記吸気口から天井部の排気口に向けて筐体部内に吸入した空気を送風する送風手段を設けたことを特徴とする。
【０００９】
また、請求項２に記載の発明は、請求項１に記載の屋外設置用電子機器収容箱において、前記送風手段は、前記吸入口と対角線上に対向する前記天井部における隅部に設けられていることを特徴とする。
【００１０】
また、請求項３に記載の発明は、請求項１または２のいずれかに記載の屋外設置用電子機器収容箱において、前記送風手段は、空気流を直交方向に変換して送風するクロスフローファンであることを特徴とする。
【００１１】
【発明の実施の形態】
以下、本発明の実施形態を、図面を参照して詳細に説明する。本発明の実施形態に係る屋外設置用電子機器収容箱の構成を図１に示す。同図において、本発明の実施形態に係る屋外設置用電子機器収容箱１は、電子機器１４、１５，１６が収容される筐体部１０と、該筐体部１０の上部に設置され空間２４が空気流路となる天井部２０とを有している。
【００１２】
また、筐体部１０の前面下部には外気を取り入れる吸気口１１を有し、かつ前記天井部２０の前面側には排気口２２を有するとともに、筐体部１０に設けられた吸気口１１から天井部２０に至る経路内である天井部２０の後面側に前記吸気口１１から天井部２０の排気口２２に向けて筐体部１０内に吸入した空気を送風する送風手段としてのクロスフローファン３０を有している。すなわち、クロスフローファン３０は、吸入口１１と対角線上に対向する天井部２０における隅部に設けられている。
【００１３】
また、クロスフローファン３０は、図２に示すように、吸入する空気流１０１を該空気流１０１と直交する方向の空気流１０２に変換して送風する機能を有している。
上記構成において、筐体部１０の前面下部に設けられ吸気口１１より吸い込まれ、各種機器からの発熱を冷却しながら、暖気となって、上昇し、天井部２０に設けられたクロスフローファン３０に吸い込まれる。
【００１４】
吸い込まれた暖気は、クロスフローファン３０により天井部２０内の空間２４を、該空間内に直射日光により暖められた空気とともに、天井部２０の後面側から前面側に送風され、排気口２２より外部に排出される。
このクロスフローファン３０は、日中、電子機器が稼動状態にあるときは常時、駆動してもよいし、また、図示していない筐体内に設けられた温度センサにより筐体部１０内の温度が所定の温度以上に達した状態が検出されたときのみ図示してない制御部により駆動するようにしてもよい。
【００１５】
なお、本実施形態では、送風手段としてクロスフローファンを使用したが、これ以外の送風装置であってもよい。要は、筐体部１０内の空気を天井部２０の排気口２２側に送出する機能を有するものであればよい。
【００１６】
本実施形態に係る屋外設置用電子機器収容箱によれば、天井部内の空間において空気を流動させるようにしたので、筐体部内の直射日光による温度上昇を抑制することができる。
また、本実施形態に係る屋外設置用電子機器収容箱によれば、従来装置のように筐体部に突出して換気用ファンを取り付ける必要がないので、ファン排気口からの雨滴の流入を防止することができる。
【００１７】
さらに、本実施形態に係る屋外設置用電子機器収容箱によれば、クロスフローファンを駆動するのに、もともと従来装置で使用していた換気ファン用の電源を使用すればよいので、新たに、電源供給することは不要であるという効果も有る。
また、従来装置では換気ファンを筐体部の後面に突出させて取り付けていたので、外観上、好ましくなかったが、本実施形態に係る屋外設置用電子機器収容箱によれば、送風手段としてのクロスフローファンは、筐体内に収納されるので、通気孔の位置の自由度が高まり、デザインの幅が広がるという効果も有る。
【００１８】
【発明の効果】
以上に説明したように、本発明によれば、屋外に設置されて使用される電子機器収容箱であって、電子機器が収容される筐体部と、該筐体部の上部に設置され空気流路となる天井部とを有し、前記筐体部前面の下部には外気を取り入れる吸気口を有し、かつ前記天井部の前面側には排気口を有するとともに、前記吸気口から天井部に至る経路内に前記吸気口から天井部の排気口に向けて筐体部内に吸入した空気を送風する送風手段を設けたので、直射日光による温度上昇を抑制し、筐体内を的確に冷却することができ、かつ外観上も好ましい屋外設置用電子機器収容箱を実現することができる。
【図面の簡単な説明】
【図１】本発明の実施形態に係る屋外設置用電子機器収容箱の構成を概念的に示す説明図。
【図２】図１におけるクロスフローファンの外観を示す説明図。
【図３】従来の屋外設置用電子機器収容箱の構成を概念的に示す説明図。
【符号の説明】
１、１００…屋外設置用電子機器収容箱
１０、２００…筐体部
１４〜１６…電子機器
２０、３００…天井部
２４…空間
３０…クロスフローファン
【図１】
2004260055.tif 000003
【図２】
2004260055.tif 000004
【図３】
2004260055.tif 000005